(57)【要約】【課題】被収容物を高く持ち上げることなく収容可能な段ボール箱を提供する。【解決手段】直方体状の段ボール箱であって、側壁となる矩形状の４つの側板部と、側壁の下端によって規定される領域を閉塞する矩形状の底板部と、側壁の上端によって規定される領域を閉塞する矩形状の天板部と、を含み、４つの側板部のいずれか１つは、隣接する別の側板部、底板部、又は天板部との接続部を支点に開閉可能に構成されている。【選択図】図１
2019038609.tif 000002
【特許請求の範囲】
【請求項１】
直方体状の段ボール箱であって、
側壁となる矩形状の４つの側板部と、
該側壁の下端によって規定される領域を閉塞する矩形状の底板部と、
該側壁の上端によって規定される領域を閉塞する矩形状の天板部と、を備え、
該４つの側板部のいずれか１つは、隣接する別の側板部、底板部、又は天板部との接続部を支点に開閉可能に構成されていることを特徴とする段ボール箱。
【請求項２】
開閉可能な該側板部の該接続部とは反対側の端部には、差し込み部が設けられ、
開閉可能な該側板部の内側には、該側板部に隣接する一対の側板部を連結し、該差し込み部が差し込まれる切り欠き部を有する連結部が設けられ、
該差し込み部が該切り欠き部に差し込まれることで、開閉可能な該側板部は閉じた状態に保たれることを特徴とする請求項１に記載の段ボール箱。
【発明の詳細な説明】
【技術分野】
【０００１】
本発明は、段ボール箱に関する。
【背景技術】
【０００２】
半導体デバイスの製造工程では、酸性やアルカリ性の液体が広く用いられている。これらの液体は、例えば、２０リットル程の容量を持つポリエチレン製の容器（ポリタンク）に貯留される。液体が貯留されている容器の搬送は、この容器を段ボール箱に収容した状態で行われる（例えば、特許文献１，２参照）。
【先行技術文献】
【特許文献】
【０００３】
【特許文献１】特開平６−２９３３２８号公報
【特許文献２】特開２００３−２６２３６号公報
【発明の概要】
【発明が解決しようとする課題】
【０００４】
ところで、段ボール箱の上部に形成されている開口を通じて、液体が貯留されている容器を段ボール箱の内部へと収容する際には、作業者が、この容器をある程度の高さまで持ち上げなくてはならない。しかしながら、液体が貯留されている容器は重いので、作業者が高く持ち上げた容器を誤って落下させると危険であった。
【０００５】
本発明はかかる問題点に鑑みてなされたものであり、その目的とするところは、液体が貯留されている容器等の被収容物を高く持ち上げることなく収容可能な段ボール箱を提供することである。
【課題を解決するための手段】
【０００６】
本発明の一態様によれば、直方体状の段ボール箱であって、側壁となる矩形状の４つの側板部と、該側壁の下端によって規定される領域を閉塞する矩形状の底板部と、該側壁の上端によって規定される領域を閉塞する矩形状の天板部と、を備え、該４つの側板部のいずれか１つは、隣接する別の側板部、底板部、又は天板部との接続部を支点に開閉可能に構成されていることを特徴とする段ボール箱が提供される。
【０００７】
本発明の一態様において、開閉可能な該側板部の該接続部とは反対側の端部には、差し込み部が設けられ、開閉可能な該側板部の内側には、該側板部に隣接する一対の側板部を連結し、該差し込み部が差し込まれる切り欠き部を有する連結部が設けられ、該差し込み部が該切り欠き部に差し込まれることで、開閉可能な該側板部は閉じた状態に保たれることが好ましい。
【発明の効果】
【０００８】
本発明の一態様に係る段ボール箱は、側壁となる矩形状の４つの側板部と、側壁の下端によって規定される領域を閉塞する矩形状の底板部と、側壁の上端によって規定される領域を閉塞する矩形状の天板部と、を備え、４つの側板部のいずれか１つが、隣接する別の側板部、底板部、又は天板部との接続部を支点に開閉可能に構成されている。
【０００９】
よって、開閉可能な側板部を開くことで、被収容物を段ボール箱の側方から内部に収容できる。つまり、段ボール箱の上部に開口が形成されている場合等のように、被収容物を高く持ち上げる必要がない。このように、本発明の一態様によれば、被収容物を高く持ち上げることなく収容可能な段ボール箱を提供できる。
【図面の簡単な説明】
【００１０】
【図１】段ボール箱の構成例を模式的に示す斜視図である。
【図２】第４側板部を開いた状態の段ボール箱を模式的に示す斜視図である。
【発明を実施するための形態】
【００１１】
添付図面を参照して、本発明の一態様に係る実施形態について説明する。図１は、本実施形態に係る段ボール箱２の構成例を模式的に示す斜視図である。図１に示すように、段ボール箱２は、側壁４を構成する第１側板部６、第２側板部８、第３側板部１０、及び第４側板部１２を含んでいる。
【００１２】
第１側板部６、第２側板部８、第３側板部１０、及び第４側板部１２は、いずれも矩形状に形成されており、それぞれ、矩形の４つの辺に相当する上辺部、下辺部、及び一対の側辺部を有している。
【００１３】
第１側板部６の一方の側辺部には、第２側板部８の一方の側辺部が接続されている。また、第２側板部８の他方の側辺部には、第３側板部１０の一方の側辺部が接続されている。更に、第３側板部１０の他方の側辺部には、第４側板部１２の一方の側辺部が接続されている。一方で、第１側板部６の他方の側辺部と第４側板部１２の他方の側辺部とは、接続されていない。
【００１４】
第１側板部６、第２側板部８、及び第３側板部１０の下辺部には、矩形状の底板部１４が接続されている。つまり、この底板部１４は、側壁４の下端によって規定される領域を閉塞するように設けられている。なお、第４側板部１２の下辺部には、底板部１４が接続されていない。
【００１５】
一方で、第１側板部６、第２側板部８、及び第３側板部１０の上辺部には、矩形状の天板部１６が接続されている。つまり、この天板部１６は、側壁４の上端によって規定される領域を閉塞するように設けられている。なお、第４側板部１２の上辺部には、天板部１６が接続されていない。
【００１６】
そのため、第３側板部１０に接続される一方の側辺部（接続部）を支点に第４側板部１２を回転させて開閉できる。図２は、第４側板部１２を開いた状態の段ボール箱２を模式的に示す斜視図である。
【００１７】
第４側板部１２の他方の側辺部（第３側板部１０に接続される側辺部（接続部）とは別の側辺部）の下端側（下辺部側）には、平板状の差し込み部１８が設けられている。また、第４側板部１２の内側に相当する位置には、第４側板部１２に隣接する第１側板部６と第３側板部１０との下端側（下辺部側）を連結する連結部２０が設けられている。この連結部２０によって、段ボール箱２の強度が高く保たれている。
【００１８】
なお、連結部２０の高さは、段ボール箱２の高さ（第４側板部１２の高さ）の３分の１以下、好ましくは５分の１以下とする。これにより、第１側板部６、第３側板部１０、天板部１６、及び連結部２０の縁によって規定される開口を通じて、被収容物を段ボール箱２の内部に搬入し、又は被収容物を段ボール箱２の外部に搬出できる。
【００１９】
連結部２０の第１側板部６側には、差し込み部１８を差し込むことのできるスリット状の切り欠き部２１ａが形成されている。例えば、第４側板部１２と差し込み部１８とのなす角度を概ね９０°に調整した状態で第４側板部１２を閉じ、併せて、差し込み部１８を切り欠き部２１ａに差し込むことで、第４側板部１２を閉じた状態に保つことができる。一方で、差し込み部１８を切り欠き部２１ａから引き抜けば、第４側板部１２を開くことができる。
【００２０】
被収容物を段ボール箱２に収容する際には、まず、第４側板部１２を開いた状態で、段ボール箱の外部にある被収容物を僅かに持ち上げ、上述した開口を通じて段ボール箱２の内部に被収容物を搬入する。その後、差し込み部１８を切り欠き部２１ａに差し込んで、第４側板部１２を閉じれば、被収容物は段ボール箱２に収容される。なお、被収容物は、少なくとも、連結部２０を超える高さまで持ち上げられれば良い。
【００２１】
同様に、被収容物を段ボール箱２から取り出す際には、第４側板部１２を開いた状態で、段ボール箱２に収容されている被収容物を僅かに持ち上げ、上述した開口を通じて段ボール箱２の外部に被収容物を搬出すれば良い。この場合にも、被収容物は、少なくとも、連結部２０を超える高さまで持ち上げられれば良い。
【００２２】
本実施形態では、連結部２０を被収容物の搬入、搬出に支障のない高さ（例えば、段ボール箱２の高さの３分の１以下、好ましくは５分の１以下）に形成している。よって、段ボール箱２を超えるような高さまで被収容物を持ち上げる必要はない。また、この連結部２０によって、段ボール箱２の強度を十分に高く保てる。
【００２３】
以上のように、本実施形態に係る段ボール箱２は、側壁４となる矩形状の第１側板部６、第２側板部８、第３側板部１０、及び第４側板部１２（４つの側板部）と、側壁４の下端によって規定される領域を閉塞する矩形状の底板部１４と、側壁４の上端によって規定される領域を閉塞する矩形状の天板部１６と、を備え、第４側板部１２（４つの側板部のいずれか１つ）が、第３側板部１０（隣接する別の側板部）との接続部を支点に開閉可能に構成されている。
【００２４】
よって、開閉可能な第４側板部１２を開くことで、被収容物を段ボール箱２の側方から内部に収容できる。つまり、段ボール箱の上部に開口が形成されている場合等のように、被収容物を高く持ち上げる必要がない。このように、本実施形態によれば、被収容物を高く持ち上げることなく収容可能な段ボール箱２を提供できる。
【００２５】
なお、本発明は、上記実施形態の記載に制限されず種々変更して実施可能である。例えば、上記実施形態では、第１側板部６と第３側板部１０との下端側（下辺部側）を連結する連結部２０を設けているが、第１側板部６と第３側板部１０との上端側（上辺部側）を連結するように連結部を設けても良い。
【００２６】
また、上記実施形態では、矩形状の連結部２０を用いているが、連結部の形状に特段の制限はない。例えば、連結部２０の中央部の高さを両端部の高さより低くすれば、被収容物の搬入、搬出が更に容易になる。
【００２７】
また、例えば、上記実施形態では、一方の側辺部（接続部）を支点に、第４側板部１２を概ね鉛直な回転軸の周りに回転させることのできる段ボール箱２について説明しているが、第４側板部１２を概ね水平な回転軸の周りに回転できるようにしても良い。
【００２８】
この場合には、例えば、第４側板部１２の一方の側辺部を第３側板部１０の他方の側辺部に接続する代わりに、第４側板部１２の下辺部を底板部１４に接続し、又は、第４側板部１２の上辺部を天板部１６に接続することになる。これにより、上辺部（接続部）又は下辺部（接続部）を支点に第４側板部１２を回転させて開閉できる。
【００２９】
なお、この場合には、第４側板部１２の下辺部又は上辺部に差し込み部１８を設けることが望ましい。具体的には、第４側板部１２の下辺部を底板部１４に接続する場合には、第４側板部１２の上辺部に差し込み部１８を設け、第４側板部１２の上辺部を天板部１６に接続する場合には、第４側板部１２の下辺部に差し込み部１８を設ける。併せて、連結部にスリット状の切り欠き部を設け、差し込み部１８を差し込めるようにすることが望ましい。
【００３０】
その他、上記実施形態に係る構造、方法等は、本発明の目的の範囲を逸脱しない限りにおいて適宜変更して実施できる。
【符号の説明】
【００３１】
２  段ボール箱
４  側壁
６  第１側板部
８  第２側板部
１０  第３側板部
１２  第４側板部
１４  底板部
１６  天板部
１８  差し込み部
２０  連結部
２０ａ  切り欠き部
【図１】
2019038609.tif 000003
【図２】
2019038609.tif 000004